(57)【要約】【課題】遊技盤に固植された多数本の遊技釘の位置を容易に正確に検査・確認することができる弾球遊技機を提供する。【解決手段】紫外線が照射されたときに限って視認可能となるフォトクロミックインキを用いて遊技盤１０に固植される遊技釘１４の正規の位置情報を透明シート９１に印刷し、該透明シート９１を該遊技盤１０の前面に配設される透明板４０に貼付する。【選択図】図１
2019092695.tif 000002
【特許請求の範囲】
【請求項１】
紫外線が照射されたときに限って視認可能となるフォトクロミックインキを用いて遊技盤に固植される遊技釘の正規の位置情報を透明シートに印刷し、該透明シートを該遊技盤の前面に配設される透明板に貼付してなることを特徴とする弾球遊技機。
【請求項２】
遊技盤の前面に透明板を少なくとも二重に配設する弾球遊技機であって、内側透明板に前記透明シートを貼付するとともに、紫外線を遮断する外側透明板を前面枠に保持させることで該外側透明板を単独で開閉可能に構成したことを特徴とする請求項１に記載した弾球遊技機。
【請求項３】
前記フォトクロミックインキにより透明シートに印刷される釘位置マークは、遊技盤に固植される遊技釘の釘頭の外径よりも小さい外径の円形であることを特徴とする請求項１または２に記載した弾球遊技機。
【請求項４】
前記遊技盤と前記透明シートとに正面視で合致位置し得る基準マークをそれぞれ表示するとともに、前記透明板を前記遊技盤に対し上下左右に位置を微調整し得る位置調整手段を設けてなることを特徴とした請求項１〜３のいずれかに記載した弾球遊技機。
【発明の詳細な説明】
【技術分野】
【０００１】
本発明は、遊技盤に固植された多数本の遊技釘の位置が正規の位置から変動していないかどうかを確認するための手段を備えたパチンコ遊技機，アレンジボール遊技機，雀球遊技機等のパチンコ球を遊技媒体とする弾球遊技機に関するものである。
【背景技術】
【０００２】
パチンコ遊技機等の弾球遊技機は、遊技盤の前面の遊技領域に多数本の遊技釘が固植され、該遊技領域を流下する遊技球は該遊技釘に誘導され、入賞口に入賞したり、入賞しないでアウト球排出口に至るものに分別される。このため遊技盤に固植された遊技釘の位置は入賞状況に大きく影響する。
ところでこれらの遊技釘は、釘打機により機種に応じて予め決められた遊技盤の所定位置に打ち付けられるが、釘打機の精度に限度があることから、遊技釘が必ずしも基準どおり正確に位置するとは限らないとともに、遊技場に長期間設置され遊技に使用されていると、遊技球が遊技釘に繰り返し衝突することにより遊技釘が曲がり、釘頭も正規の位置から大きくずれてしまうことがある。また、製造後に意図的に遊技釘を曲げることで、遊技領域を流下する遊技球の流れを変えて、入賞状況を大きく変えてしまうということもあった。
【０００３】
一方、下記特許文献１に示された遊技機の釘位置調整方法は、遊技釘の基準位置を示す孔または画像を設けた透明または半透明の測定用の表示シートを遊技盤の遊技領域に沿って平行に保持し、該表示シートをめくりながら遊技釘の位置を調整するものであった。
【先行技術文献】
【特許文献】
【０００４】
【特許文献１】特開２００３−１９２６８
【発明の概要】
【発明が解決しようとする課題】
【０００５】
しかしながら、遊技盤に固植された多数本の遊技釘について、正規の位置からのずれを測定・把握することは容易でなく、その確認や調整を行うことは、経験豊富な専門の作業者であっても時間を要する大変な作業であった。
また、特許文献１に示された方法では、いちいち表示シートを遊技盤の遊技領域に沿って平行に保持しなければならならないので、手間が掛かるという問題があるとともに、表示シートが妄動し易いうえ、遊技釘を基準とし該遊技釘に対して該表示シートを差し込んで位置合わせを行うものであるので、基準としている遊技釘自体が位置ズレしていると、測定・検査を正確にできないおそれがある。
そこで、表示シートを予め遊技盤前面の透明板に貼り付けておくことも考えられた。しかし、表示シートを貼り付けていると、遊技者もまた表示シートの表示が見えるので、遊技中に実際の遊技釘の位置とのズレなどを認識することも可能となり、このために遊技者が無用な不信感を起こすようになり、トラブル発生の要因になるおそれがある。
【０００６】
そこで本発明は、表示シートの表示が遊技者に見られることはなく、しかも、遊技釘の位置を常に正確に検査・確認することが可能な弾球遊技機を提供しようとするものである。
【課題を解決するための手段】
【０００７】
そのために本発明に係る弾球遊技機は、紫外線が照射されたときに限って視認可能となるフォトクロミックインキを用いて遊技盤に固植される遊技釘の正規の位置情報を透明シートに印刷し、該透明シートを該遊技盤の前面に配設される透明板に貼付してなることを特徴とする。
紫外線を照射しない限り、透明シートに印刷された遊技釘の正規の位置情報は見えないので、遊技者は従来通り違和感なく遊技することができる。
【０００８】
また本発明は上記弾球遊技機において、遊技盤の前面に透明板を少なくとも二重に配設する弾球遊技機であって、内側透明板に前記透明シートを貼付するとともに、紫外線を遮断する外側透明板を前面枠に保持させることで該外側透明板を単独で開閉可能に構成したことを特徴とする。
このため、外側透明板を閉じるだけで、紫外線を遮断することができるので、透明シートの表示が遊技者に見えないようにできる。
【０００９】
また本発明は上記弾球遊技機において、フォトクロミックインキにより透明シートに印刷される釘位置マークは、遊技盤の遊技領域に固植される遊技釘の釘頭の外径よりも小さい外径の円形であることを特徴とする。
こうすることで、許容される一定の測定誤差を考慮したうえでの、遊技釘位置の測定・検査の合否の判定が容易になる。
【００１０】
また本発明は上記弾球遊技機において、前記遊技盤と前記透明シートとに正面視で合致位置し得る基準マークをそれぞれ表示するとともに、前記透明板を前記遊技盤に対し上下左右に位置を微調整し得る位置調整手段を設けてなることを特徴とする。
このように基準マークどうしが合致するように前記透明板を位置調整することで、遊技釘の位置をより正確に測定・確認できるようになる。
【発明の効果】
【００１１】
透明シートの釘位置を示す表示を通常は遊技者が見られないので、遊技者とトラブル等の問題が発生するおそれがないとともに、必要に応じてその表示が見られるようになるので、遊技盤に固植された遊技釘の位置を容易にしかも正確に検査・確認できるようになる。
【図面の簡単な説明】
【００１２】
【図１】本発明に係る弾球遊技機の要部の縦断面図。
【図２】本発明に係る弾球遊技機の遊技盤と内側透明板と透明シートの分解斜視図。
【図３】本発明に係る弾球遊技機の遊技盤の正面図。
【図４】本発明に係る弾球遊技機の内側透明板の正面図。
【図５】本発明に係る弾球遊技機の位置合わせ機構の分解斜視図。
【図６】本発明に係る弾球遊技機の位置合わせ機構の分解斜視図。
【図７】本発明に係る弾球遊技機の位置合わせ機構の分解斜視図。
【図８】本発明に係る弾球遊技機の位置合わせ機構の内部構造の正面図。
【図９】本発明に係る弾球遊技機の位置合わせ機構の内部構造の背面図。
【図１０】本発明に係る弾球遊技機の遊技盤に内側透明板をセットする際の斜視図。
【図１１】本発明に係る弾球遊技機の遊技盤に内側透明板をセットする際の斜視図。
【図１２】図１０のＡ−Ａ線断面矢視図。
【図１３】本発明に係る弾球遊技機の遊技盤に内側透明板を固定した状態の斜視図。
【図１４】本発明に係る弾球遊技機の遊技盤に内側透明板を固定した状態の正面図。
【図１５】図１４のＢ−Ｂ線断面矢視図。
【図１６】本発明に係る弾球遊技機の遊技盤に内側透明板を固定した状態の要部の裏面図。
【図１７】本発明に係る弾球遊技機の釘位置確認状況を示す要部の縦断面図。
【図１８】本発明に係る弾球遊技機の釘位置確認状況を示す正面図。
【図１９】本発明に係る弾球遊技機の位置合わせ機構の他の実施形態を示す斜視図。
【図２０】図１９に示した位置合わせ機構の右側面図。
【図２１】図１９に示した位置合わせ機構の分解斜視図。
【図２２】図１９に示した位置合わせ機構の分解斜視図。
【図２３】図１９に示した位置合わせ機構の横断面図。
【図２４】本発明に係る弾球遊技機の他の実施形態を示す要部の縦断面図。
【発明を実施するための形態】
【００１３】
次に本発明に係る弾球遊技機の構成を図面に従い説明する。図１〜図３に示した遊技盤１０は、中央に液晶等の図柄表示装置や演出装置（図示せず）を配設するための大きな窓孔１１を形成したプラスチック製厚板状のもので、該遊技盤１０の前面に球誘導用レール１２ａ，１２ｂが固着され、該球誘導レール１２ａ，１２ｂによって囲われた遊技領域１３に多数本の遊技釘１４が固植される。なお、この実施形態に示した該各遊技釘１４は、表面が金色で、その釘頭を直径４．２ｍｍの半球状に形成したものを使用している。また、該遊技領域１３には、風車や電飾装置（図示せず）が配設されるほか、通過チャッカー，普通入賞口，始動入賞口，可変入賞口（いずれも図示せず）等を配設するための取付孔１５ａ〜１５ｄが形成される。また、該遊技盤１０の裏側には入賞球集合樋，遊技制御基板（図示せず）等が設けられる。遊技中は遊技者が前記球誘導レール１２ａ，１２ｂに沿って遊技球を発射し、該遊技球は遊技領域１３を遊技釘１４に誘導されながら流下する。そして、前記普通入賞口，始動入賞口等の入賞口に適宜確率で入賞し、入賞しなかった遊技球は、アウト球排出口２１より排出される。
【００１４】
球誘導レール１２ａ，１２ｂの外側領域であって該遊技盤１０の向かって左側上部には、該球誘導レール１２ａ，１２ｂの起立厚さと同程度に前方に突出する側枠部材２１ａが該遊技盤１０に予め形成された取付孔にビスによって固着され、該遊技盤１０の向かって左側下部に同様の側枠部材２１ｂが同様にビスによって固着され、該遊技盤１０の向かって右側上部にも側枠部材２１ｃが同様にビスによって固着され、該遊技盤１０の向かって右側下部にも側枠部材２１ｄが同様にビスによって固着される。
【００１５】
また、遊技盤１０の向かって左側の上下縁部に相当する前記側枠部材２１ａ，２１ｂにそれぞれ略正方形の遊嵌孔２２ａ，２２ｂを形成し、該遊嵌孔２２ａ，２２ｂの内底部に後述する図１２に示したように板バネ２３を設けている。また、該遊技盤１０の向かって右側の上縁部に小円形の位置決孔２４をルーター加工機等の切削加工により形成し、該位置決孔２４を基準として前記遊技領域１３に多数の釘孔を穴開切削加工により形成し、該釘孔に前記遊技釘１４を差し込むことにより、該位置決孔２４を基準として多数本の遊技釘１４が正確に位置するように固植される。
【００１６】
また、前記側枠部材２１ｃの上縁部にルーズクリップ２５を回転自在に軸着するとともに、前記側枠部材２１ｄに凹窪部２６を形成し、該凹窪部２６に遊技盤１０の裏側まで貫通する略小判形の係合孔２７を形成している。そして、前記側枠部材２１ｃの上縁部寄りの前面と前記側枠部材２１ｄの前面にそれぞれ十字状の基準マーク２８ａ，２８ｂを表示する。なお、側枠部材２１ａ〜２１ｄは、遊技盤１０に前記位置決孔２４を基準として切削加工された図示しない取付孔に取り付けられる。したがって、該基準マーク２８ａ，２８ｂは、位置決孔２４および遊技釘１４に対して高精度に位置し得る。
【００１７】
また、図２に示したように、遊技盤１０の前面に配設される内側透明板４０は、プラスチック製の保持枠４２によって全周が囲われ、該内側透明板４０の前面に釘位置表示シート９０が粘着剤により貼付される。該釘位置表示シート９０は、透明シート９１に紫外線が照射されときに限って視認可能となるフォトクロミックインキを用いて釘位置マーク９２を印刷してなる。なお、フォトクロミックインキは紫外線が照射することで発色し紫外線を遮断することで消色するという変化を可逆的に繰り返すインクで、ブラックライト等の紫外線ライトを照射したときは勿論、太陽光や蛍光灯、ＬＥＤ等の紫外線を含む光が当たったときも発色し視認可能となる。そして、該釘位置マーク９２によって遊技盤１０に固植される多数本の遊技釘１４の正規の位置が表示される。なお、該各釘位置マーク９２は、外径が前記遊技釘１４の釘頭の外径よりも小さい２．２ｍｍの円形である。
また、該各釘位置マーク９２の位置の基準となる十字状の基準マーク９３ａ，９３ｂをそれぞれ該釘位置表示シート９０の向かって右上および左下に印刷によって表示する。また、該釘位置表示シート９０の下縁部に機種名９４を印刷している。なお、機種名９４および前記基準マーク９３ａ，９３ｂは、普通の印刷インキを用いても前記フォトクロミックインキを用いて印刷してもよい。また、ホログラム式の偽造防止ラベル９５を該釘位置表示シート９０の下縁部に貼付し、該釘位置表示シート９０をコピー機によって容易に偽造できないようにしている。
【００１８】
次に前記保持枠４２に設けられる位置調整手段の構成を説明する。該位置調整手段は、図４にも示すように、遊嵌部４３とロック部４４と位置合わせ機構４５とからなるが、先ず、遊嵌部４３から説明すると、保持枠４２の向かって左側辺に図１２に示したように先端部がＬ字状に折れ曲がった鉤状片４３ａ，４３ｂを一体に形成し、該鉤状片４３ａ，４３ｂを前記遊嵌孔２２ａ，２２ｂに遊嵌することにより、該保持枠４２および内側透明板４０が遊技盤１０に対して上下左右に微動可能に支持され、該鉤状片４３ａ，４３ｂを前記板バネ２３により押圧することで、該内側透明板４０が遊技盤１０の前面に一定間隔で保持されるようにしている。
また、ロック部４４は、図４，図１０に示したように、保持枠４２の下辺の向かって右側寄りに遊技盤１０の前記凹窪部２６に遊嵌し得る水平断面コ字形の垂下部４６を延設し、該垂下部４６に縦長孔４７および正面視円弧状のクサビ部４９を形成してなり、該縦長孔４７に図１５に示したようにロック片４８を装着し得るようにしている。なお、該ロック片４８は、縦長孔４７に貫挿する軸部４８ａの前端に鉤状の摘子部４８ｂを一体に形成するとともに、該軸部４８ａの後端に直交状の係合部４８ｃを一体に形成してなる。
【００１９】
一方、位置合わせ機構４５は、保持枠４２の上辺の向かって右側寄りにビス５０ａ〜５０ｃによって止着される。また、該位置合わせ機構４５の向かって右側近傍に板状止片５１が該保持枠４２に一体に形成される。次にこの位置合わせ機構４５の構成を図５〜図９に従い説明する。この位置合わせ機構４５は、前記ビス５０ａ〜５０ｃおよびビス５４ａ，５４ｂをケース５２と蓋体５３に貫挿することにより、該ケース５２と蓋体５３とを固着してなり、図１１に示したように該ケース５２の背面に前記位置決孔２４に嵌合し得る支軸５５が突設され、該支軸５５を左右に微動させるための左右動ダイヤル５６が蓋体５３に形成されたダイヤル孔５６ａから前面に露出し、該支軸５５を上下に微動させるための上下動ダイヤル５７が蓋体５３に形成されたダイヤル孔５７ａから前面に露出する。該左右動ダイヤル５６はダイヤル軸５６ｂの下端部にウオーム５６ｃが固着され、該ダイヤル軸５６ｂをケース５２に形成された軸受部５２ａに垂直に貫挿することにより回転自在に支持するとともに、該ウオーム５６ｃと噛合するウオームホイール５６ｄが該ケース５２に形成された支持軸５２ｂに回転自在に支持され、該ウオームホイール５６ｄにはピニオン５６ｅを一体に形成している。なお、支軸５５の先端部は前記位置決孔２４に対し嵌合し易いように先細テーパー状に形成されている。
【００２０】
また、図７に示したように、成形部材６１ａ，６１ｂにビス６２ａ，６２ｂを貫挿することにより左右動組体６３が組み立てられる。該左右動組体６３は、前記ケース５２に水平方向に長いスリット状のガイド孔５２ｃが形成され、成形部材６１ｂの背面に形成された突縁６３ｂを該ガイド孔５２ｃ中に摺動可能に貫挿することにより該ケース５２内にて左右方向にのみ移動するように設けられる。また、図８に示されるように該成形部材６１ｂの下縁部にラック歯６３ｃが一体に形成され、該ラック歯６３ｃを前記ピニオン５６ｅに噛合させている。
【００２１】
また、前記上下動ダイヤル５７にダイヤル軸５７ｂをＥリング５７′で固着し、該ダイヤル軸５７ｂを成形部材６１ａに形成された軸受部６１ｄに水平に貫挿することにより該上下動ダイヤル５７を回転自在に支持し、該ダイヤル軸５７ｂの先端にウオーム５７ｃ固着し、前記成形部材６１ｂに形成された支持軸６１ｃにピニオン５７ｄが一体に形成されたウオームホイール５７ｅを回転自在に支持し、該ウオームホイール５７ｅをウオーム５７ｃに噛合させている。
また、前記支軸５５の基端部に前記ピニオン５７ｄと噛合するラック歯６５ａおよび上下方向に長いガイド孔６５ｂが形成された軸基枠６５が固着され、前記成形部材６１ｂに突設されたガイド軸６３ｄが該ガイド孔６５ｂに遊嵌し、支軸５５は前記成形部材６１ｂに形成された上下方向に長い長孔６３ｅに上下動可能に貫挿され、さらに該支軸５５はケース５２に形成された大径孔５２ｄを貫通して該位置合わせ機構４５の背面に突出している。
【００２２】
このため、左右動ダイヤル５６を回転させると、ピニオン５６ｅが回転し左右動組体６３を左右動させ支軸５５を左右動させる一方、上下動ダイヤル５７を回転させると、ピニオン５７ｄが回転し軸基枠６５を上下動させるので該支軸５５を上下動させる。
【００２３】
そして、図１０および図１１に示したように、保持枠４２の一側縁に形成された鉤状片４３ａ，４３ｂを該遊技盤１０の遊嵌孔２２ａ，２２ｂに遊嵌し、前記支軸５５を位置決孔２４に嵌合する。このとき保持枠４２は遊技盤１０に対して上下左右に微動可能に支持されていることから、該保持枠４２を必要に応じていずれかの方向に動かすことで、位置決孔２４に対して支軸５５を嵌合することができる。また、前記ルーズクリップ２５を回転させて前記板状止片５１の表面上に摺接させることで、該保持枠４２を微動可能に支持し得る。
【００２４】
この状態で前記左右動ダイヤル５６および上下動ダイヤル５７を回転操作して支軸５５を左右および上下に微動させる。このとき、該支軸５５は位置決孔２４に嵌合されているので、実際は保持枠４２および該保持枠と一体の内側透明板４０が左右および上下に微動する。また、手で直接、保持枠４２を左右に動かすことにより支軸５５を支点として該保持枠４２を左右に僅かに傾斜させることもできる。このような微調整をすることにより、遊技板１０に表示された前記基準マーク２８ａ，２８ｂに対し前記基準マーク９３ａ，９３ｂを正面視で完全に合致位置させる。そして、合致できたところで、前記係合孔２７に貫挿されたロック片４８の摘子部４８ｂを回転操作し、図１５、図１６に示したように係合部４８ｃを遊技盤１０の裏側面に係合させる。なおこのとき摘子部４８ｂが前記クサビ部４９上に乗り上ることにより、軸部４８ａが前方に牽引されるので、保持枠４２をしっかりと遊技板１０に固定することができる。このように位置合わせ機構４５を備えていることによっては、内側透明板４０に釘位置表示シート９０が多少はズレて貼付されていたとしても、基準マーク２８ａ，２８ｂと基準マーク９３ａ，９３ｂとを合致させることで、そのズレを無くすことができる。
【００２５】
また、この弾球遊技機では、図１に示したように、本体枠７７の一側縁に開閉可能にヒンジされた前面枠７６に外側透明板７５を保持させ、該外側透明板７５を前記内側透明板４０とは別途に単独で開閉し得るようにしている。該外側透明板７５は、透明板材７５ａと透明板材７５ｃとの間に紫外線を吸収する透明なポリビニルブチラール（ＰＶＢ）膜７５ｂを接着剤として挟んでなる３層構造の合わせガラスであり、該前面枠７６を閉じることにより、紫外線が該外側透明板７５により遮断される。このため、紫外線が内部に侵入しなくなり、フォトクロミックインキにより印刷された前記釘位置マーク９２は該外側透明板７５を閉じた状態では外から見えないので、遊技者は該釘位置マーク９２を気にすることなく遊技することができる。なお、紫外線を吸収する透明な接着剤であれば、ポリビニルブチラール（ＰＶＢ）に限るものではない。
【００２６】
一方、各遊技釘１４の位置が釘位置マーク９２と合致するかどうかを検査・確認するに際しては、前面枠７６を開けることで外側透明板７５を開放し、必要に応じて前述のように、左右動ダイヤル５６および上下動ダイヤル５７を回転操作して基準マーク２８ａ，２８ｂと基準マーク９３ａ，９３ｂを正面視で合致位置させ、保持枠４２を遊技板１０に固定する。そして、図１７に示したように、小型で携帯可能なブラックライト８０を使用し、紫外線を遊技盤１０の正面に向けて照射する。これによって紫外線が釘位置マーク９２に照射されて該釘位置マーク９２を視認できるようになることから、遊技盤１０正面から見て各遊技釘１４の釘頭が該釘位置マーク９２と合致するかどうかを検査・確認し得る。このとき肉眼によっても十分に視認可能であるが、デジタル顕微鏡、マイクロスコープ等を使用し、遊技釘１４と釘位置マーク９２とのズレを検知するようにしてもよい。そして、例えば図１８に「ＯＫ」として示したように、釘位置マーク９２が遊技釘１４の釘頭円の範囲内に位置しておれば合格とし、「ＮＧ」として示したように、釘位置マーク９２が遊技釘１４の釘頭の円の範囲外に位置していると不合格とする。このように、釘位置マーク９２を釘頭の円よりも小径の円で表示することにより、許容される一定の測定誤差を考慮したうえでの合否の判定が容易になる。
【００２７】
図１９〜図２３は位置合わせ機構４５の他の実施形態を示すもので、この実施形態では、前記実施形態と同一機能を果たす部分については前記図５〜図９中の符号と同一符号を付すことによりその説明を割愛する。なお、この実施形態では、支軸５５を左右に微動させるための左右動ダイヤル５６が縦向きに軸支され、支軸５５を上下に微動させるための上下動ダイヤル５７が横向きに軸支される。即ち、この実施形態では、左右動ダイヤル５６のダイヤル軸５６ｂの外周、および、上下動ダイヤル５７のダイヤル軸５７ｂの外周にそれぞれ螺子溝を形成するとともに、箱状に形成された上下動体７０に鉛直軸７１を貫挿することで該上下動体７０に該鉛直軸７１に沿って上下動自在なるように支持し、該上下動体７０にダイヤル軸５７ｂを螺合するとともに、左右動体７２に水平軸７３を貫挿することにより該左右動体７２を該上下動体７０内にて該水平軸７３に沿って左右動自在なるように支持し、該左右動体７２に前記ダイヤル軸５６ｂを螺合する。そして該左右動体７２の背面に支軸５５を突設し、該支軸５５を５２ｄから突出させる。このため、上下動ダイヤル５７を回転操作すると上下動体７０が上下動するにつれて支軸５５が上下動し、左右動ダイヤル５６を回転操作すると左右動体７２が左右動するにつれて支軸５５が左右動する。
このようにこの実施形態は、図５〜図９に示した実施形態におけるウオームとウオームホイールとからなる直交伝動機構を無くすことにより構成を簡略化したものであり、該左右動ダイヤル５６および上下動ダイヤル５７を回転操作することにより、前記実施形態と同様に透明板４０が微動し、基準マーク２８ａ，２８ｂと基準マーク９３ａ，９３ｂとを合致位置させられる。このためこのような位置合わせ機構を用いても、位置合わせの基が確かなものとなり、遊技釘の位置ズレを常に正確に測定・検査することが可能となる。
【００２８】
なお、この実施形態では、内側透明板４０の前面に釘位置表示シート９０を貼り付けたが、図２４に示したように、内側透明板４０の内面に釘位置表示シート９０を貼り付けてもよい。また、外側透明板７５については、同図に示したように合わせガラスでなく、単に紫外線カットフィルム７８を裏面に貼り付け、該外側透明板７５を閉じることで紫外線が遮断され、釘位置マーク９２が見えなくなるようにしてもよい。
【００２９】
なお、この実施形態では、釘位置マーク９２を円形によって表示したが、円形に限らず遊技釘の位置を測定し易い表示形態を採ることができる。例えば、複数本の釘を隙間なく並べて固植した道釘と称される部分では、その釘頭を囲うような長円形を表示することで、その長円形をはみ出す釘頭の有無を測定するようにしてもよい。さらには、入賞口の両側に遊技球が通過し得るように固植された２本の遊技釘の正規に本来あるべき間隔を表示し、その表示と実際の遊技釘の間隔とを比較・測定し得るようにしてもよい。このように遊技釘の正規の位置を表示する形態には種々のバリエーションがあり得る。また、遊技球の入賞の成否に関わる重要な遊技釘だけを重点的に測定・確認できるようにした表示であってもよい。要するに、透明シート９１にフォトクロミックインキにより印刷することにより、その表示が遊技者から見られるおそれはなくなるので、遊技釘を測定・検査するに必要な情報を所望に印刷することができる。
【００３０】
また、フォトクロミックインキは紫外線が照射されることで発色し紫外線を遮断することで消色するという変化を可逆的に繰り返すが、発色により視認可能となる紫外線の強さはその物性によって一定でない。このため、透明シート９１に印刷された遊技釘の位置情報は、ブラックライト８０を使用しなくても紫外線を遮断する外側透明板７５を開放するだけで見られるようになることもある。また、その反対に、あえて紫外線を遮断する外側透明板７５を設けなくても通常の光では透明シート９１に印刷された遊技釘の位置情報は見えることなく、ブラックライト８０を用いて強い紫外線を照射したときにだけその位置情報が見られるようにすることも可能である。ただし、この実施形態で示したように、紫外線を遮断する外側透明板７５を設けたり、ブラックライト８０を使用することによっては、遊技釘の位置情報をより明確に非表示状態と表示状態に切り替えることができる。
【符号の説明】
【００３１】
１０…遊技盤、    １１…窓孔、    １２ａ，１２ｂ…球誘導用レール、    １３…遊技領域、    １４…遊技釘、    １５ａ〜１５ｄ…取付孔、    ２１…アウト球排出口、    ２１ａ〜２１ｄ…側枠部材、    ２２ａ，２２ｂ…遊嵌孔、    ２３…板バネ、    ２４…位置決孔、    ２５…ルーズクリップ、    ２６…凹窪部、    ２７…係合孔、    ２８ａ，２８ｂ…基準マーク、    ４０…内側透明板、    ４２…保持枠、    ４３…遊嵌部、    ４３ａ，４３ｂ…鉤状片、    ４４…ロック部、    ４５…位置合わせ機構、    ４６…垂下部、    ４７…縦長孔、    ４８…ロック片、    ４８ａ…軸部、    ４８ｂ…摘子部、    ４８ｃ…係合部、    ４９…クサビ部、    ５０ａ〜５０ｃ…ビス、    ５１…板状止片、    ５２…ケース、    ５２ａ…軸受部、    ５２ｂ…支持軸、    ５２ｃ…ガイド孔、    ５２ｄ…大径孔、    ５３…蓋体、    ５４ａ，５４ｂ…ビス、    ５５…支軸、    ５６…左右動ダイヤル、    ５６ａ…ダイヤル孔、    ５６ｂ…ダイヤル軸、    ５６ｃ…ウオーム、    ５６ｄ…ウオームホイール、    ５６ｅ…ピニオン、    ５７…上下動ダイヤル、    ５７ａ…ダイヤル孔、    ５７ｂ…ダイヤル軸、    ５７ｃ…ウオーム、    ５７ｄ…ピニオン、    ５７ｅ…ウオームホイール、    ５７′…Ｅリング、    ６１ａ，６１ｂ…成形部材、    ６１ｃ…支持軸、    ６１ｄ…軸受部、    ６２ａ，６２ｂ…ビス、    ６３…左右動組体、    ６３ｂ…突縁、    ６３ｃ…ラック歯、    ６３ｄ…ガイド軸、    ６３ｅ…長孔、    ６５…軸基枠、    ６５ａ…ラック歯、    ６５ｂ…ガイド孔、    ７０…上下動体、    ７１…鉛直軸、    ７２…左右動体、    ７３…水平軸、    ７５…外側透明板、    ７５ａ…透明板材、    ７５ｂ…ポリビニルブチラール膜、    ７５ｃ…透明板材、    ７６…前面枠、    ７７…本体枠、    ７８…紫外線カットフィルム、    ８０…ブラックライト、    ９０…釘位置表示シート、    ９１…透明シート、    ９２…釘位置マーク、    ９３ａ，９３ｂ…基準マーク、    ９４…機種名、    ９５…偽造防止シール
【図１】
2019092695.tif 000003
【図２】
2019092695.tif 000004
【図３】
2019092695.tif 000005
【図４】
2019092695.tif 000006
【図５】
2019092695.tif 000007
【図６】
2019092695.tif 000008
【図７】
2019092695.tif 000009
【図８】
2019092695.tif 000010
【図９】
2019092695.tif 000011
【図１０】
2019092695.tif 000012
【図１１】
2019092695.tif 000013
【図１２】
2019092695.tif 000014
【図１３】
2019092695.tif 000015
【図１４】
2019092695.tif 000016
【図１５】
2019092695.tif 000017
【図１６】
2019092695.tif 000018
【図１７】
2019092695.tif 000019
【図１８】
2019092695.tif 000020
【図１９】
2019092695.tif 000021
【図２０】
2019092695.tif 000022
【図２１】
2019092695.tif 000023
【図２２】
2019092695.tif 000024
【図２３】
2019092695.tif 000025
【図２４】
2019092695.tif 000026